(57)【要約】【課題】全幅切断と切り残し切断の２種の切断機能を有するシート切断装置において、全幅切断時に綺麗な切断面が得られるシート切断装置を提供する。【解決手段】シート切断装置１００は、全幅切断用の第１の刃部１２と、第１の刃部１２に対向して設けられた切り残し切断用の第２の刃部１３とを備える回転刃１０と、第１の刃部１２に対向して設けられた全幅切断する第１の固定刃２０と、第２の刃部１３に対向して設けられた切り残し切断する第２の固定刃３０と、回転刃１０を駆動する電動モータ６０と、回転刃１０の回転方向を切り替える切替機構５０と、を備え、切替機構５０は、切断の度に電動モータ６０の回転を逆回転に切り替える。【選択図】図３
2020157463.tif 000002
【特許請求の範囲】
【請求項１】
被切断材料であるシートの幅方向に回転軸を有する回転刃と、
前記回転軸に平行に設けられ、前記回転刃との間に通した前記シートを幅方向に全幅切断する第１の固定刃と、
前記第１の固定刃に平行に設けられ、前記回転刃との間に通した前記シートを幅方向に切り残し切断する第２の固定刃と、
前記回転刃を駆動する電動モータと、
前記回転刃の回転方向を切り替える切替機構と、
を備え、
前記回転刃は前記回転軸を軸とする略円筒形状の部材であり、外周面に刃先が形成された、全幅切断用の第１の刃部と、前記第１の刃部に対向して設けられた切り残し切断用の第２の刃部とを備え、
前記第１の固定刃と前記第２の固定刃は対向して設けられ、
前記第１の刃部は前記第１の固定刃に対向し、前記第２の刃部は前記第２の固定刃に対向するように設けられ、
前記切替機構は、切断の度に前記電動モータの回転を逆回転に切り替える、シート切断装置。
【請求項２】
前記第１の固定刃の刃先と前記第２の固定刃の刃先は、前記シートの挿入側に向かって広がるように傾斜するシノギ面を有する、請求項１に記載のシート切断装置。
【請求項３】
さらに、前記電動モータの軸に接続された解除ノブを備え、
前記解除ノブは溝を有する、請求項１または請求項２に記載のシート切断装置。
【請求項４】
前記第１の刃部または前記第２の刃部のうち、下側に配置される刃部の前記シートの排出側には、排出側に下り傾斜した傾斜面を有する、請求項１ないし請求項３のいずれか一項に記載のシート切断装置。
【発明の詳細な説明】
【技術分野】
【０００１】
本発明は、シート切断装置に関する。
【背景技術】
【０００２】
プリンタのロール紙等の長尺状シートを切断するシート切断装置において、切断には、シートを完全に分離するように切断する全幅切断（「フルカット」とも呼ばれる）と、シートを完全に分離せずに一部または複数点が切り残される切り残し切断（「パーシャルカット」や「ミシン目カット」とも呼ばれる）がある。このような２種の切断機能を備えるシート切断装置では、例えば、刃先に連続した複数の凹凸が形成された可動刃の固定刃に対する移動距離を制御することにより、全幅切断と切り残し切断とを選択する（例えば、特許文献１）。
【先行技術文献】
【特許文献】
【０００３】
【特許文献１】国際公開第２００９／０９００５２号
【発明の概要】
【発明が解決しようとする課題】
【０００４】
しかしながら、このようなシート切断装置では、１種類の可動刃の移動距離のみで２種の切断を切り替えているため、全幅切断時にシートが切り離されても、切断面が綺麗にならない場合がある。特に、切断対象がチューブ状の厚みのあるシートの場合には、この現象が顕著である。
【０００５】
したがって、本発明は、全幅切断と切り残し切断の２種の切断機能を有するシート切断装置において、全幅切断時に綺麗な切断面が得られるシート切断装置を提供することを目的とする。
【課題を解決するための手段】
【０００６】
本発明に係るシート切断装置の一態様は、
被切断材料であるシートの幅方向に回転軸を有する回転刃と、
前記回転軸に平行に設けられ、前記回転刃との間に通した前記シートを幅方向に全幅切断する第１の固定刃と、
前記第１の固定刃に平行に設けられ、前記回転刃との間に通した前記シートを幅方向に切り残し切断する第２の固定刃と、
前記回転刃を駆動する電動モータと、
前記回転刃の回転方向を切り替える切替機構と、
を備え、
前記回転刃は前記回転軸を軸とする略円筒形状の部材であり、外周面に刃先が形成された、全幅切断用の第１の刃部と、前記第１の刃部に対向して設けられた切り残し切断用の第２の刃部とを備え、
前記第１の固定刃と前記第２の固定刃は対向して設けられ、
前記第１の刃部は前記第１の固定刃に対向し、前記第２の刃部は前記第２の固定刃に対向するように設けられ、
前記切替機構は、切断の度に前記電動モータの回転を逆回転に切り替えることを特徴とする。
【０００７】
この構成により、全幅切断と切り残し切断の２種の切断機能を有するシート切断装置に
おいて、全幅切断時に綺麗な切断面が得られるシート切断装置を提供することができる。
【０００８】
前記第１の固定刃の刃先と前記第２の固定刃の刃先は、前記シートの挿入側に向かって広がるように傾斜するシノギ面を有することが好ましい。
【０００９】
刃先にシノギ面を有するため、シートの挿入が容易になる。
【００１０】
さらに、前記電動モータの軸に接続された解除ノブを備え、
前記解除ノブは溝を有することが好ましい。
【００１１】
溝を有する解除ノブを備えるため、ペーパージャムの発生時にドライバーにより容易にペーパージャムを解除することができる。
【００１２】
前記第１の刃部または前記第２の刃部のうち、下側に配置される刃部の前記シートの排出側には、排出側に下り傾斜した傾斜面を有することが好ましい。
【００１３】
下側に配置される刃部に排出側に下り傾斜した傾斜面を有するため、連続で切断するときに切断物が装置内部に滞在しにくくなり、ペーパージャムの発生を抑制することができる。
【発明の効果】
【００１４】
本発明に係るシート切断装置によれば、全幅切断と切り残し切断の２種の切断機能を有するシート切断装置において、全幅切断時に綺麗な切断面が得られるシート切断装置を提供することができる。
【図面の簡単な説明】
【００１５】
【図１】シート切断装置の斜視図である。
【図２】シート切断装置の正面図である。
【図３】シート切断装置の背面図である。
【図４】シート切断装置のＰ−Ｐ断面図である。
【図５】シート切断装置の動作中の様子を説明するための右側面図である。
【発明を実施するための形態】
【００１６】
以下、本発明の実施形態について、図面を参照しながら説明する。なお、以下に説明する実施形態は、本発明の一例を説明するものである。本発明は以下の実施形態になんら限定されるものではなく、本発明の要旨を変更しない範囲において実施される各種の変形形態も含む。なお、以下で説明される構成の全てが本発明の必須の構成であるとは限らない。
【００１７】
本実施形態に係るシート切断装置は、被切断材料であるシートの幅方向に回転軸を有する回転刃と、前記回転軸に平行に設けられ、前記回転刃との間に通した前記シートを幅方向に全幅切断する第１の固定刃と、前記第１の固定刃に平行に設けられ、前記回転刃との間に通した前記シートを幅方向に切り残し切断する第２の固定刃と、前記回転刃を駆動する電動モータと、前記回転刃の回転方向を切り替える切替機構と、を備え、前記回転刃は前記回転軸を軸とする略円筒形状の部材であり、外周面に刃先が形成された、全幅切断用の第１の刃部と、前記第１の刃部に対向して設けられた切り残し切断用の第２の刃部とを備え、前記第１の固定刃と前記第２の固定刃は対向して設けられ、前記第１の刃部は前記第１の固定刃に対向し、前記第２の刃部は前記第２の固定刃に対向するように設けられ、前記切替機構は、切断の度に前記電動モータの回転を逆回転に切り替えることを特徴とする。
【００１８】
本実施形態に係るシート切断装置は、切断の度に回転刃を逆回転させて戻る振り子運転により、固定刃と回転刃との間に通した被切断材料であるシートを幅方向に切断するシート切断装置であり、被切断材料であるシートを幅方向に沿って切断して、所定形状の切断シートを製造する。
【００１９】
以下の例では、シート切断装置は、印刷装置を備えるラベルプリンタ等の機器に着脱可能に構成され、印刷装置によって任意の文字、絵、図形等のラベル情報が印刷された長尺状シートを切断してレシートやラベル等を作製する。
【００２０】
印刷方式や被切断材料であるシートの形状や材質等は特に限定されない。例えば、印刷装置は、シートが巻回されたロールを回転自在な状態で収容し、シートを搬送しながらシートに所望の情報を印刷可能であれば特に限定されない。シートの材質は、紙であっても樹脂フィルムであってもよい。また、切断時にシート状に潰れた状態で挿入されるチューブ状のメディアであってもよい。さらに、シートは接着層を有する基材と、接着層を覆うように剥離可能に基材に貼付された剥離紙と、を有するテープ部材等であってもよく、接着層を有さない基材のみからなるものであってもよい。
【００２１】
１．シート切断装置
１．１．構成
まず、本実施形態に係るシート切断装置について、図面を参照しながら説明する。図１は、本実施形態に係るシート切断装置１００の斜視図である。図２は本実施形態に係るシート切断装置１００の正面図である。図３は本実施形態に係るシート切断装置１００の背面図である。図４は本実施形態に係るシート切断装置１００のＰ−Ｐ断面図である。図５は本実施形態に係るシート切断装置１００の動作中の様子を説明するための右側面図である。
【００２２】
なお、図１〜図５に示す本実施形態において、シート切断装置１００の幅方向、すなわち、被切断材料であるシートＳの幅方向となる方向をＸ軸方向とする。シートＳは図４に示す。本明細書において、このＸ軸方向に直交する方向であって、シートＳの長尺方向であり、かつ、シートＳが挿入される方向及び切断されたシートが排出される方向をＹ軸方向とする。Ｘ軸方向及びＹ軸方向に直交する方向であってシートＳの厚さ方向となる方向をＺ軸方向とする。Ｘ軸方向、Ｙ軸方向、及びＺ軸方向は、互いに直交する。図１〜図５において、Ｘ軸方向及びＹ軸方向は水平方向であり、Ｚ軸方向は鉛直方向である。
【００２３】
また、本明細書において「挿入側」とは、図４の矢印Ａで示す、シートＳがＹ軸方向に挿入される側であり、シート切断装置１００の正面側を言う。また、「排出側」とは、挿入されたシートＳがＹ軸方向に排出される側であり、シート切断装置１００の背面側を言うものとする。
【００２４】
図１〜図５に示すように、シート切断装置１００は、カッタ部１と、切替機構５０と、電動モータ６０と、を備える。
【００２５】
カッタ部１は、電動モータ６０のＺ軸方向上側に配置され、回転刃１０の回転動作を利用して、矢印Ａ方向から挿入されるシートＳを切断する部位である。すなわち、回転刃１０及び対向刃としての第１の固定刃２０または第２の固定刃３０との協同により、シートＳを幅方向に全幅切断または切り残し切断する。
【００２６】
カッタ部１は、回転刃１０と、第１の固定刃２０と、第２の固定刃３０と、フレーム４０と、を備える。これらの部材は、例えば金属により形成される。
【００２７】
フレーム４０は、略直方形状に形成され、回転刃１０を回転可能に軸支するとともに、第１の固定刃２０と第２の固定刃３０とを固定する。
【００２８】
回転刃１０は、回転軸１０ｐに沿って設けられた回転支持軸１１ａ、１１ｂを介して、フレーム４０に回転可能に軸支され、回転に伴って当接する第１の固定刃２０または第２の固定刃３０との間に通したシートＳを切断する。回転刃１０は、回転軸１０ｐを軸とする略円筒形状の金属製の部材であり、回転支持軸１１ａ、１１ｂと、第１の刃部１２と、第２の刃部１３と、固定部１４、１５と、を備える。第１の刃部１２と第２の刃部１３はＸ軸方向に沿って長尺状に互いに平行に形成され、その両端は固定部１４、１５によって固定される。固定部１４、１５は、回転支持軸１１ａ、１１ｂに連結される。
【００２９】
図３に示すように、第１の刃部１２は、第１の固定刃２０に対向して設けられた回転刃１０の全幅切断用の部位であり、本実施形態においては、第２の刃部１３よりも下側に配置される。第１の刃部１２の刃先１２ａは回転刃１０の外周面に形成され、固定部１４側から固定部１５側に向かって下るように傾斜される。すなわち、刃先１２ａは、固定部１４側から固定部１５側に向かうにつれて第１の固定刃２０と離れるように傾斜して形成される。図４に示すように、第１の刃部１２は、刃先１２ａに連続して、シートＳの排出側に下り傾斜した傾斜面１２ｂが形成される。つまり、傾斜面１２ｂは、刃先１２ａからシートＳの搬送方向である背面側に向かうほど第２の刃部１３から離れるように下降する。第１の刃部１２の外面１２ｃは、固定部１４、１５によって固定される。なお、固定部１４、１５による回転刃１０の固定方法は、例えば、図示しない固定部材によるネジ止めや、溶接等が挙げられる。
【００３０】
一方、第２の刃部１３は、第２の固定刃３０に対向して設けられた回転刃１０の切り残し切断用の部位であり、本実施形態においては、第１の刃部１２よりも上側に配置される。第２の刃部１３の刃先１３ａは回転刃１０の外周面に形成され、固定部１４側から固定部１５側に向かって上るように傾斜される。すなわち、刃先１３ａは、固定部１４側から固定部１５側に向かうにつれて第２の固定刃３０と近づくように傾斜して形成される。図４に示すように、第２の刃部１３は、刃先１３ａに連続して、シートＳの排出側に水平に延設された水平面１３ｂと、水平面１３ｂに連続して上り傾斜する傾斜面１３ｃが形成される。つまり、傾斜面１３ｃは、水平面１３ｂからシートＳの搬送方向である背面側に向かうほど第１の刃部１２から離れるように上昇する。第２の刃部１３の外面１３ｄは、固定部１４、１５によって固定される。
【００３１】
第１の固定刃２０は、回転刃１０の回転軸１０ｐに平行に設けられ、第１の刃部１２と当接することにより、回転刃１０の第１の刃部１２との間に通したシートＳを全幅切断する。第１の固定刃２０は、第１の刃部１２と対向する側に刃先２０ａを備える。また、第１の固定刃２０は第２の固定刃３０に対向して設けられ、刃先２０ａは第２の固定刃３０の刃先３０ａに対向する。図１及び図２に示すように、第１の固定刃２０は、正面側から固定板４０ａを介してフレーム４０にネジ止め固定される。刃先２０ａは、Ｘ軸に沿って略水平に設けられる。第１の固定刃２０の刃２０ａは、シートＳの挿入側に向かって広がるように傾斜するシノギ面が形成される。
【００３２】
第２の固定刃３０は、回転刃１０の回転軸１０ｐに設けられ、第２の刃部１３と当接することにより、回転刃１０の第２の刃部１３との間に通したシートＳを切り残し切断する。第２の固定刃３０は、第２の刃部１３と対向する側に刃先３０ａを備える。また、第２の固定刃３０は第１の固定刃２０に対向して設けられ、刃先３０ａは第１の固定刃２０の刃先２０ａに対向する。図１及び図２に示すように、第１の固定刃２０は、正面側から固定板４０ｂを介してフレーム４０にネジ止め固定される。第２の固定刃３０は、シートＳ
を切り残し切断するために、刃先３０ａ複数の凹凸が連続して形成されたミシン目刃であり、Ｘ軸に沿って略水平に設けられる。第２の固定刃３０の刃３０ａは、シートＳの挿入側に向かって広がるように傾斜するシノギ面が形成される。
【００３３】
固定部１４、１５は、回転刃１０の回転軸１０ｐ、すなわちＸ軸方向に平行に略円筒形状に形成され、第１の刃部１２と第２の刃部１３を固定する固定部１４ａ、１５ａと、回転支持軸１１ａ、１１ｂに連結される略円筒形状部１４ｂ、１５ｂと、を備える。
【００３４】
切替機構５０は、シート切断装置１００において、回転刃１０の回転方向を切り替える機構であり、電動モータ６０の回転力を回転刃１０の回転に伝え、切断の度に電動モータ６０の回転を逆回転に切り替える。図１及び図５に示すように、切替機構５０は、カム５１と、ピン５２と、リンク５３と、バネスイッチ５４と、を備える。
【００３５】
カム５１は、中心５１ａが駆動源としての電動モータ６０のモータ軸６１の一端に設けられた固定部材６２を介して回転可能に軸支され、ピン５２を介して電動モータ６０の回転駆動力をリンク５３に伝達する。カム５１は、バネスイッチ５４の突起部５４ａを押し下げる凸部５１ｂ、５１ｃ、５１ｄを有する。
【００３６】
ピン５２は、カム５１上に設けられた突起状の部材である。
【００３７】
リンク５３は、一端にピン５２が摺動可能に嵌入され、かつピン５２の回転径と略同じ長さの長孔５３ａと、他端に回転支持軸１１ａを嵌入する孔５３ｂとを有する。リンク５３は、長孔５３ａにピン５２が嵌入することによりカム５１に連結され、孔５３ｂに回転支持軸１１ａが嵌入することにより、フレーム４０に連結される。
【００３８】
バネスイッチ５４は、カム５１の外周に接触し、凸部５１ｂ、５１ｃ、５１ｄに押し下げられる突起部５４ａと、突起部５４ａに連結したバネ部５４ｂと、バネ部５４ｂに連結し、シート切断装置１００に対して外部に信号を伝達する本体部５４ｃを備える。本体部５４ｃはフレーム４０の下面に連結された金属製のブラケット７０に固定される。
【００３９】
電動モータ６０は、シート切断装置１００に駆動を供給する。図３に示すように、電動モータ６０は、モータ軸６１と、モータ軸６１の一端に設けられた固定部材６２と、モータ軸６１の他端に接続された解除ノブ６３とを備える。電動モータ６０は、固定部材６２側がブラケット７０にネジ止めされることにより、カッタ部１の下側に固定される。
【００４０】
解除ノブ６３は略円筒形状に形成され、マイナス溝６３ａが形成された端面６３ｂはブラケット７０から突出するように設けられる。解除ノブ６３を手動で、またはマイナス溝６３ａにドライバー等を差し込んで回転させることにより、その回転力を回転刃１０に伝える。
【００４１】
１．２．シート切断装置の動作
このような構成を有するシート切断装置１００は、以下に示す動作によりシートＳを切断する。なお、図５に示すカム５１に設けられたピン５２が下死点に位置する場合、第１の刃部１２の刃先１２ａは第１の固定刃２０に隠れた状態であり、第２の刃部１３の刃先１３ａは第２の固定刃３０に隠れた状態となる（図３参照）。
【００４２】
全幅切断の指示の信号により電動モータ６０に電力が供給されてモータ軸６１が回転すると、その回転によって固定部材６２を介してモータ軸６１に接続されたカム５１が、図５に示す矢印Ｄの方向に回転する。カム５１に設けられたピン５２が、カム５１の回転に従って下死点から全幅切断位置５２ａまでリンク５３の長孔５３ａ内を移動しながらリン
ク５３を上方に押し上げる。ピン５２の移動によってリンク５３が摺動し、これによりリンク５３の孔５３ｂに嵌入した回転支持軸１１ａが矢印Ｄの方向に回転し、これにより回転刃１０が図４に示す矢印Ｂの方向に回転する。回転刃１０が矢印Ｂの方向に回転すると、第１の刃部１２の刃先１２ａが第１の固定刃２０に近づき、刃先１２ａと第１の固定刃２０との間に搬送されてセットされたシートＳと接触し、ピン５２が全幅切断位置５２ａに達したときにシートＳを全幅切断する。
【００４３】
ピン５２が全幅切断位置５２ａに達してシートＳを全幅切断し、バネスイッチ５４の突起部５４ａがカムの凸部５１ｄを押し下げると、電動モータ６０の回転が逆回転に切り替えられ、図５に示す矢印Ｅ方向にカム５１を回転させる。これにより、回転刃１０は図４に示す矢印Ｃ方向に回転し、これに伴い刃先１２ａがシートＳと第１の固定刃２０から離れる。刃先１２ａがシートＳから離れると、シート搬送手段（図示せず）によって、シートＳが排出側に搬送され、次の切断部位が回転刃１０と第１の固定刃２０との間にセットされる。
【００４４】
ピン５２が図５に示す下死点に戻り、カム５１の凸部５１ｃがバネスイッチ５４の突起部５４ａを押し下げると、電動モータ６０の回転はまた逆回転に切り替えられ、図５に示す矢印Ｄ方向にカム５１を回転させる。これにより、再度、回転刃１０は図４に示す矢印Ｂ方向に回転し、これに伴い刃先１２ａと第１の固定刃２０との間に搬送されてセットされたシートＳの次の切断部位を全幅切断する。このように、電動モータ６０の回転を切断の度に切り替えることで、シートＳが間欠的に全幅切断される。
【００４５】
シートＳを切り残し切断する場合には、電動モータ６０を全幅切断とは逆回転させることにより行う。切り残し切断の指示の信号により、電動モータ６０に電力が供給されて、図５に示す矢印Ｅ方向にカム５１が回転するように電動モータ６０を回転させる。カム５１に設けられたピン５２が、カム５１の回転に従って下死点から切り残し切断位置５２ｂまでリンク５３の長孔５３ａ内を移動しながらリンク５３を上方に押し上げる。ピン５２の移動によってリンク５３が摺動し、これによりリンク５３の孔５３ｂに嵌入した回転支持軸１１ａが矢印Ｅの方向に回転し、これにより回転刃１０が図４に示す矢印Ｃの方向に回転する。回転刃１０が矢印Ｃの方向に回転すると、第２の刃部１３の刃先１３ａが第１の固定刃２０に近づき、その際に、刃先１３ａと第２の固定刃３０との間に搬送されてセットされたシートＳと接触し、切り残し切断位置５２ｂにピン５２が達したときにシートＳを切り残し切断する。
【００４６】
ピン５２が切り残し切断位置５２ｂに達してシートＳを切り残し切断し、カム５１の凸部５１ｂがバネスイッチ５４の突起部５４ａを押し下げると、電動モータ６０の回転が逆回転に切り替えられ、図５に示す矢印Ｄ方向にカム５１を回転させる。これにより、回転刃１０は図４に示す矢印Ｂ方向に回転し、これに伴い刃先１３ａがシートＳと第２の固定刃３０から離れる。刃先１３ａがシートＳから離れると、シート搬送手段（図示せず）によって、シートＳが搬送され、次の切断部位が回転刃１０と第２の固定刃３０との間にセットされる。
【００４７】
ピン５２が図５に示す下死点に戻り、カムの凸部５１ｃがバネスイッチ５４の突起部５４ａを押し下げると、電動モータ６０の回転はまた逆回転に切り替えられ、図５に示す矢印Ｅ方向にカム５１を回転させる。これにより、再度、回転刃１０は図４に示す矢印Ｃ方向に回転し、これに伴い刃先１３ａと第２の固定刃３０との間に搬送されてセットされたシートＳの次の切断部位を切り残し切断する。このように、電動モータ６０の回転を切断の度に切り替えることで、シートＳが間欠的に切り残し切断される。ここで、切断されたシートはミシン目状にカットされた切り残し切断であるため、シートＳが切断されても連なった状態で排出される。
【００４８】
シート切断装置１００でペーパージャム等が発生した場合には、解除ノブ６３を手動またはドライバーを用いて回転させて、回転刃１０と第１の固定刃２０または第２の固定刃３０との間に詰まったシートや切断物を取り除く。
【００４９】
２．効果
以上説明したように、本実施形態に係るシート切断装置１００によれば、全幅切断と切り残し切断の２種の切断機能を有するシート切断装置１００において、回転刃１０が全幅切断用の第１の刃部１２と、切り残し切断用の第２の刃部１３とを備え、固定刃として全幅切断用の第１の固定刃２０と、切り残し切断用の第２の固定刃３０を備えるため、全幅切断時に綺麗な切断面が得られるシート切断装置を提供することができる。また、全幅切断専用の刃を用いて切断するため、切断対象が切断時にシート状に潰れた状態で挿入されるチューブ状のメディアにおいても綺麗な切断面が得られる。
【００５０】
また、第１の刃部１２の刃先１２ａと第２の刃部１３の刃先１３ａにシノギ面を有するため、シートＳの挿入が容易になる。
【００５１】
さらに、マイナス溝６３ａを有する解除ノブ６３を有するため、ペーパージャムの発生時に手動またはドライバーを用いて回転させることにより、容易にペーパージャムを解除することができる。なお、マイナス溝６３ａはプラス溝であってもよい。
【００５２】
また、第１の刃部１２の排出側には、排出側に下り傾斜した傾斜面１２ｂを有するため、連続で全幅切断するときに切断物が装置内部に滞在しにくくなり、ペーパージャムの発生を抑制することがきる。
【００５３】
さらに、カム５１に設けられたピン５２が下死点に位置する場合、第１の刃部１２の刃先１２ａは第１の固定刃２０に隠れた状態であり、第２の刃部１３の刃先１３ａは第２の固定刃３０に隠れた状態であるため、ペーパージャムの発生を抑制することがきる。
【００５４】
なお、回転刃１０と第１及び第２の固定刃２０、３０とが互いに摺接する側面には、非粘着樹脂やフッ素処理等の非粘着コーティングが施されてもよい。これにより、ライナレスラベル等の粘着性を有するシートの切断時における、シートや切断物の刃への付着を防止できる。
【００５５】
本発明は、前述した実施形態に限定されるものではなく、種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００５６】
１…カッタ部、１０…回転刃、１０ｐ…回転軸、１１ａ、１１ｂ…回転支持軸、１２…第１の刃部、１２ａ…刃先、１２ｂ…傾斜面、１２ｃ…外面、１３…第１の刃部、１３ａ…刃先、１３ｂ…水平面、１３ｃ…傾斜面、１２ｃ…外面、１４、１５…固定部、１４ａ、１５ａ…固定部、１４ａ、１４ｂ…略円筒形状部、２０…第１の固定刃、２０ａ…刃先、３０…第２の固定刃、３０ａ…刃先、４０…フレーム、４０ａ、４０ｂ…固定板、５０…切替機構、５１…カム、５１ａ…中心、５１ｂ、５１ｃ、５１ｄ…凸部、５２…ピン、５２ａ…全幅切断位置、５２ｂ…切り残し切断位置、５３…リンク、５３ａ…長孔、５３
ｂ…孔、５４…バネスイッチ、５４ａ…突起部、５４ｂ…バネ部、５４ｃ…本体部、６０…電動モータ、６１…モータ軸、６２…固定部材、６３…解除ノブ、６３ａ…マイナス溝、６３ｂ…端面、７０…ブラケット、１００…シート切断装置、Ｓ…シート。
【図１】
2020157463.tif 000003
【図２】
2020157463.tif 000004
【図３】
2020157463.tif 000005
【図４】
2020157463.tif 000006
【図５】
2020157463.tif 000007